(57)【要約】      （修正有） 【課題】載置する物品の大きさに対応して、長さ、幅、高さを随時変更でき、且つ安定した構造を具え、物品の安全な搬送が得られる組立式手押し車を提供する。【解決手段】少なくとも１以上の組立孔１３と及び少なくとも１以上の連結孔１４を具えるデッキ板１１と、少なくとも１以上の組立孔１３と少なくとも１以上の連結孔１４と及び少なくとも１以上のキャスター１５を具えるベースデッキ板１０と、両端の内の少なくとも１端が該組立孔１３に挿通する、少なくとも１以上の連結桿１２と、を含んでなり、該デッキ板１１が該連結桿１２を介して該ベースデッキ板１０の上方に設けられる。【選択図】図２
0003209689.tif 000002
【実用新案登録請求の範囲】
【請求項１】
少なくとも１以上の組立孔と、少なくとも１以上の連結孔を具えるデッキ板と、
少なくとも１以上の組立孔と、少なくとも１以上の連結孔と、少なくとも１以上のキャスターを具えるベースデッキ板と、
両端の内の少なくとも１端が該組立孔に挿通する、少なくとも１以上の連結桿と、を含んでなり、
該デッキ板が該連結桿を介して該ベースデッキ板の上方に設けられることを特徴とする組立式手押し車。
【請求項２】
前記ベースデッキ板を２枚並べて第１デッキ板と第２デッキ板とし、該第１デッキ板の連結孔の内の少なくとも１つの連結孔と、該第２デッキ板の連結孔の内の対応する少なくとも１つの連結孔とに、少なくとも１以上の連結部材を通して締結し、第１デッキ板３１と第２デッキ板３１'とによって同一の水平面における物品の載置面を構成することを特徴とする請求項１に記載の組立式手押し車。
【請求項３】
少なくとも１以上の前記連結桿の内のそれぞれの該連結桿の両端の内の一端が、少なくとも１以上の該ベースデッキ板の該第１ベースデッキ板の少なくとも１以上の該組立孔の内の一組立孔に挿通され、それぞれの該連結桿の両端の内の他端が挿通され、
それぞれの該連結桿の内の他端が、少なくとも１以上の該デッキ板の該第１デッキ板の少なくとも１以上の該組立孔の内の一組立孔に挿通され、
該第１ベースデッキ板と該第１デッキ板が異なる物品載置面に位置することを特徴とする請求項１に記載の組立式手押し車。
【考案の詳細な説明】
【技術分野】
【０００１】
この考案は、物品を載置して搬送する手押し車に関し、特に使用状況に応じて長さ、高さ、幅などを変更できる組立式手押し車に関する。
【背景技術】
【０００２】
従来の手押し車は、使用状況に応じて長さ、幅、高さを変更できず、使用者のニーズを満足させていない。昇降手段を具え、高さに対するニーズを満足させるものも開発されているが、不十分である。但し、特定の積載量と載置する物品の大きさに合わせて特定の型の手押し車を製造することは、コスト高になる。よって、載置する物品のニーズに随時対応でき、かつコストを節減できる手押し車の開発が望まれている。
【考案の概要】
【考案が解決しようとする課題】
【０００３】
この考案は、載置する物品の大きさに対応して、長さ、幅、高さを随時変更でき、且つ安定した構造を具え、物品の安全な搬送が得られる組立式手押し車を提供することを課題とする。
【課題を解決するための手段】
【０００４】
そこで、本考案者は従来の手押し車に見られる欠点に鑑み鋭意研究を重ねた結果、少なくとも１以上の組立孔と、少なくとも１以上の連結孔を具えるデッキ板と、
１以上の組立孔と、少なくとも１以上の連結孔と、少なくとも１以上のキャスターを具えるベースデッキ板と、
両端の内の少なくとも１端が該組立孔に挿通する。少なくとも１以上の連結桿と、を含んでなり、
該デッキ板が該連結桿を介して該ベースデッキ板の上方に設けられることを特徴とする組立式手押し車によって課題を解決でできる点に着眼し、係る知見に基づいて本考案を完成させた。
【０００５】
以下この考案について説明する。請求項１に記載する組立式手押し車は、  少なくとも１以上の組立孔と、少なくとも１以上の連結孔を具えるデッキ板と、
少なくとも１以上の組立孔と、少なくとも１以上の連結孔と、少なくとも１以上のキャスターを具えるベースデッキ板と、
両端の内の少なくとも１端が該組立孔に挿通する、少なくとも１以上の連結桿と、を含んでなり、
該デッキ板が該連結桿を介して該ベースデッキ板の上方に設けられる。
【０００６】
請求項２に記載する組立式手押し車は、請求項１に記載するベースデッキ板を２枚並べて第１デッキ板と第２デッキ板とし、該第１デッキ板の連結孔の内の少なくとも１つの連結孔と、該第２デッキ板の連結孔の内の対応する少なくとも１つの連結孔とに、少なくとも１以上の連結部材を通して締結し、第１デッキ板３１と第２デッキ板３１'とによって同一の水平面における物品の載置面を構成する。
【０００７】
請求項３に記載する組立式手押し車は、少なくとも１以上の請求項１に記載する連結桿の内のそれぞれの該連結桿の両端の内の一端が、少なくとも１以上の該ベースデッキ板の該第１ベースデッキ板の少なくとも１以上の該組立孔の内の一組立孔に挿通され、それぞれの該連結桿の両端の内の他端が挿通され、
それぞれの該連結桿の内の他端が、少なくとも１以上の該デッキ板の該第１デッキ板の少なくとも１以上の該組立孔の内の一組立孔に挿通され、
該第１ベースデッキ板と該第１デッキ板が異なる物品載置面に位置する。
【図面の簡単な説明】
【０００８】
【図１】この発明におけるデッキ板を示した斜視図である。
【図２】この発明による組立式手押し車を示した斜視図である。
【図３】第２の実施の形態によるデッキ板組立の態様を示した斜視図である。
【図４】第２の実施の形態によるデッキ板組立の他の態様を示した斜視図である。
【図５】この考案における連結桿と把手の組立形態を示した説明図である。
【図６】第２の実施の形態による組立式手押し車を示した斜視図である。
【図７】第３の実施の形態による組立式手押し車を示した斜視図である。
【考案を実施するための形態】
【０００９】
この考案は、載置する物品の大きさに対応して、長さ、幅、高さを随時変更でき、且つ安定した構造を具え、物品の安全な搬送が得られる組立式手押し車を提供するものであって、少なくとも１以上の組立孔と及び少なくとも１以上の連結孔を具えるデッキ板と、少なくとも１以上の組立孔と少なくとも１以上の連結孔と及び少なくとも１以上のキャスターを具えるベースデッキ板と、両端の内の少なくとも１端が該組立孔に挿通する、少なくとも１以上の連結桿と、を含んでなり、該デッキ板が該連結桿を介して該ベースデッキ板の上方に設けられる。係る組立式手押し車の構造と特徴を説明するために、具体的な実施例を挙げ、図面を参照にして以下に詳述する。
【実施例１】
【００１０】
図１にこの考案による組立手押し車のデッキ板の斜視図を開示する。図面に開示するように、デッキ板１１は、５つの組立孔１３と、４つの連結孔１４とを具える。但し、これらの孔の数は、実施例における一形態であって、これらの数に限定し、かつこの考案の実施の範囲を限定するものではない。
【００１１】
図２は、この考案による組立手押し車の斜視図である。図面に開示するように、手押し車１は、５つの組立孔１３と４つの連結孔１４とを具えるデッキ板１１と、５つの組立孔１３と４つの連結孔１４と４つのキャスター１５（それぞれのキャスター１５は前後左右対称に設ける。一部キャスター１５は図示しない）とを具えるベースデッキ板１０と、６本の連結桿１２（それぞれの連結桿１２は、前後左右対称に設ける。一部連結桿１２は図示しない）と、を含んでなり、連結桿１２の両端の内の少なくとも１端が組立孔１３に挿通する。デッキ板１１は連結桿１２を介してベースデッキ板１０の上方に設けられ、デッキ板１１上に設ける連結桿１２には把手２０を設ける。
【００１２】
図５は、図２に開示するに把手２０と連結桿１２との組立構造を示した説明図である。図面に開示するように、把手２０を連結桿１２の一端に取付ける。把手２０を取り付けることによって、使用者は手押し車１に力を加えて推すか、引くことができ、載置する物品を搬送することができる。
【００１３】
上述する組立孔１３と、連結孔１４を形成する数、もしくは連結桿１２の本数などは実施例における一形態であって、これらの数に限定し、かつこの考案の実施の範囲を限定するものではない。
【００１４】
それぞれの連結桿１２は、両端の内の一端がデッキ板１１の組立孔１３に挿通し、かつ他端がベースデッキ板１０の対応する位置に形成した組立孔１３に挿通過する。デッキ板１１とベースデッキ板１０とは、それぞれ異なる位置の物品載置面を提供する。
【実施例２】
【００１５】
図３は、第２の実施の形態による手押し車において、異なる方式で組み立てたデッキ板の斜視図である。図面に開示するように、実施例２においては、５つの組立孔１３と４つの連結孔３４と４つのキャスター１５を具える第１デッキ板３１と、５つの組立孔１３と、４つの連結孔３４'と４つのキャスター１５を具える３１'とを連結する。即ち、第１デッキ板３１の短手方向の一方の端部と、第２デッキ板３１'の短手方向の一方の端部とを当接させ、第１デッキ板３１の４つの連結孔３４の内の一連結孔３４と、第２デッキ板３１'の４つの連結孔３４'の内の対応する一連結孔３４'とに、例えば紐体である連結部材１６を通して締結し、固定する。よって、第１デッキ板３１と第２デッキ板３１'とは同一の水平面において物品の載置面を構成する。
【００１６】
上述する組立孔１３と、連結孔１４を形成する数などは実施例における一形態であって、これらの数に限定し、かつこの考案の実施の範囲を限定するものではない。
【００１７】
図６は、図３に開示する連結した第１デッキ板３１と第２デッキ板３１'とに、図５に開示する連結桿１２と把手２０とを取り付けた状態を示した斜視図である。
【００１８】
また、図４に開示するように、第１デッキ板３１の長手方向の一方の端部と、第２デッキ板３１'の長手方向の一方の端部とを当接させて、第１デッキ板３１の４つの連結孔３４の内の一連結孔３４と、第２デッキ板３１'の４つの連結孔３４'の内の対応する一連結孔３４'とに、例えば紐体である連結部材１６を通して締結し、固定してもよい。係る組み合わせの変化は、異なる形状の物品を載置して搬送する場合のニーズに対応してなすものである。
【実施例３】
【００１９】
図７は、第３の実施の形態による手押し車の斜視図である。図面に開示するように、把手２０は、直接組立孔１３に挿設する。
【００２０】
この考案による手押し車は、載置する物品の大きさなどに対応して、随時長さ、幅、高さを変更することができ、かつ２枚のデッキ板などの部材を組み立てて実際の使用状況によるニーズを満足させるものであるとともに、コスト節減を達成することができる。同時に、組み立てられた手押し車は、二層にすることもでき、かつ安定した構造を有し、物品の安全な搬送を達成することができる。
【符号の説明】
【００２１】
１      手押し車
１０    ベースデッキ板
１１    デッキ板
１２    連結桿
１３    組立孔
１４    連結孔
１５    キャスター
１６    連結部材
２０    把手
３１    第１デッキ板
３１’  第２デッキ板
３４    連結孔
３４’  連結孔
【図１】
0003209689.tif 000003
【図２】
0003209689.tif 000004
【図３】
0003209689.tif 000005
【図４】
0003209689.tif 000006
【図５】
0003209689.tif 000007
【図６】
0003209689.tif 000008
【図７】
0003209689.tif 000009
【手続補正書】
【提出日】平成29年2月3日(2017.2.3)
【手続補正１】
【補正対象書類名】実用新案登録請求の範囲
【補正対象項目名】請求項２
【補正方法】変更
【補正の内容】
【請求項２】
前記ベースデッキ板を２枚並べて第１デッキ板と第２デッキ板とし、該第１デッキ板の連結孔の内の少なくとも１つの連結孔と、該第２デッキ板の連結孔の内の対応する少なくとも１つの連結孔とに、少なくとも１以上の連結部材を通して締結し、第１デッキ板と第２デッキ板とによって同一の水平面における物品の載置面を構成することを特徴とする請求項１に記載の組立式手押し車。
【手続補正２】
【補正対象書類名】実用新案登録請求の範囲
【補正対象項目名】請求項３
【補正方法】変更
【補正の内容】
【請求項３】
少なくとも１以上の前記連結桿の内のそれぞれの該連結桿の両端の内の一端が、該ベースデッキ板の少なくとも１以上の該組立孔の内の一組立孔に挿通され、それぞれの該連結桿の両端の内の他端が挿通され、
それぞれの該連結桿の内の他端が、該デッキ板の少なくとも１以上の該組立孔の内の一組立孔に挿通され、
該ベースデッキ板と該デッキ板とが異なる物品載置面に位置することを特徴とする請求項１に記載の組立式手押し車。
【手続補正３】
【補正対象書類名】明細書
【補正対象項目名】０００６
【補正方法】変更
【補正の内容】
【０００６】
請求項２に記載する組立式手押し車は、請求項１に記載するベースデッキ板を２枚並べて第１デッキ板と第２デッキ板とし、該第１デッキ板の連結孔の内の少なくとも１つの連結孔と、該第２デッキ板の連結孔の内の対応する少なくとも１つの連結孔とに、少なくとも１以上の連結部材を通して締結し、第１デッキ板と第２デッキ板とによって同一の水平面における物品の載置面を構成する。
【手続補正４】
【補正対象書類名】明細書
【補正対象項目名】０００７
【補正方法】変更
【補正の内容】
【０００７】
請求項３に記載する組立式手押し車は、少なくとも１以上の請求項１に記載する連結桿の内のそれぞれの該連結桿の両端の内の一端が、該ベースデッキ板の少なくとも１以上の該組立孔の内の一組立孔に挿通され、それぞれの該連結桿の両端の内の他端が挿通され、
それぞれの該連結桿の内の他端が、少なくとも１以上の該デッキ板の該組立孔の内の一組立孔に挿通され、
該ベースデッキ板と該デッキ板とが異なる物品載置面に位置する。